(57)【要約】【課題】  製作費を安くしトレイ強制オープン動作を容易に行うことができ塵埃の侵入を防ぐこと。【解決手段】  トレイオープン時に、フィードモータ９を駆動してウォ−ム機構１１のウォ−ムホイール１１ｂを正転ｅさせることにより、両中間歯車１４，１５、従動ピニオン８及び該従動ピニオン８に噛合するスライドラック１８ａを介してカムスライダ１８を矢印ｉ方向にスライドさせてカム溝１８ｂ及びカムピン１９によりトラバースシャーシ４を下動させた後、トレイ２を前進ａさせるようにしたディスク装置において、前記一対の中間歯車１４，１５が同一形状に設定され、前記ウォ−ムホイール１１ｂを強制的に正転ｅさせてトレイ２をオープン状態にするトレイ強制オープン機能３４が該ウォ−ムホイール１１ｂの下面に付加されている。【選択図】        図１
2007213692.tif 000002
【特許請求の範囲】
【請求項１】
筐体内にディスク載置用トレイを前後進可能に支持するローダーシャーシが設けられ、
該ローダーシャーシの後部に光ピックアップを搭載したトラバースシャーシが上下動可能
に連結されると共に、そのローダーシャーシの前部に従動ピニオンが回転可能に配置され
、前記トラバースシャーシにフィードモータから光ピックアップと従動ピニオンとに動力
を伝達する第１、第２の動力伝達系が設けられ、その第１動力伝達系がフィードモータと
光ピックアップとの間に介在されたウォ−ム機構及びラックピニオン機構からなり、その
第２動力伝達系が前記ウォ−ム機構と前記従動ピニオンとの間に介在された一対の中間歯
車からなり、前記従動ピニオンに係脱可能に噛合するスライドラックを一体形成したカム
スライダがローダーシャーシの前部に前後進方向とは直交する左右方向に沿ってスライド
可能に配置され、該カムスライダのカム溝に嵌入するカムピンが前記トラバースシャーシ
の前面に一体突設されており、トレイオープン時に、フィードモータを駆動してウォ−ム
機構のウォ−ムホイールを正転させることにより、両中間歯車、従動ピニオン及び該従動
歯車に噛合するスライドラックを介してカムスライダを左右一方向にスライドさせてカム
溝及びカムピンによりトラバースシャーシを下動させた後、トレイを前進させるようにし
たディスク装置において、前記一対の中間歯車が同一形状に設定されると共に、その両中
間歯車よりも前記ウォ−ムホイールが大径に設定され、該ウォ−ムホイールの下面にトレ
イ強制オープン機能が付加されており、そのトレイ強制オープン機能が、前記ウォ−ムホ
イールの下面に該ウォ−ムホイールと同心状に形成した円形凹部と、該円形凹部の底面に
所定角度をおいて放射状に一体突設した多数の係合片とからなり、前記ウォ−ムホイール
の下面に対向して前記筐体の底板に操作孔が貫設されており、その操作孔を通って適当な
係合片に工具を係合させてウォ−ムホイールを強制的に正転させることにより、トレイを
オープン状態にすることを特徴とするディスク装置。
【請求項２】
筐体内にディスク載置用トレイを前後進可能に支持するローダーシャーシが設けられ、
該ローダーシャーシの後部に光ピックアップを搭載したトラバースシャーシが上下動可能
に連結されると共に、そのローダーシャーシの前部に従動ピニオンが回転可能に配置され
、前記トラバースシャーシにフィードモータから光ピックアップと従動ピニオンとに動力
を伝達する第１、第２の動力伝達系が設けられ、その第１動力伝達系がフィードモータと
光ピックアップとの間に介在されたウォ−ム機構及びラックピニオン機構からなり、その
第２動力伝達系が前記ウォ−ム機構と前記従動ピニオンとの間に介在された一対の中間歯
車からなり、前記従動ピニオンに係脱可能に噛合するスライドラックを一体形成したカム
スライダがローダーシャーシの前部に前後進方向とは直交する左右方向に沿ってスライド
可能に配置され、該カムスライダのカム溝に嵌入するカムピンが前記トラバースシャーシ
の前面に一体突設されており、トレイオープン時に、フィードモータを駆動してウォ−ム
機構のウォ−ムホイールを正転させることにより、両中間歯車、従動ピニオン及び該従動
歯車に噛合するスライドラックを介してカムスライダを左右一方向にスライドさせてカム
溝及びカムピンによりトラバースシャーシを下動させた後、トレイを前進させるようにし
たディスク装置において、前記一対の中間歯車が同一形状に設定され、前記ウォ−ムホイ
ールを強制的に正転させてトレイをオープン状態にするトレイ強制オープン機能が該ウォ
−ムホイールの下面に付加されていることを特徴とするディスク装置。
【請求項３】
前記トレイ強制オープン機能が、前記ウォ−ムホイールの下面に該ウォ−ムホイールと
同心状に形成した円形凹部と、該円形凹部の底面に所定角度をおいて放射状に一体突設し
た多数の係合片とからなり、前記ウォ−ムホイールの下面に対向して前記筐体の底板に操
作孔が貫設されており、その操作孔を通って適当な係合片に工具を係合させてウォ−ムホ
イールを強制的に正転させることにより、トレイをオープン状態にすることを特徴とする
請求項２に記載のディスク装置。
【請求項４】
前記両中間歯車よりも前記ウォ−ムホイールが大径に設定されていることを特徴とする
請求項２または３に記載のディスク装置。
【発明の詳細な説明】
【技術分野】
【０００１】
本発明は、例えばＤＶＤプレーヤやＤＶＤレコーダなどのディスク装置に関し、特に、
製作費を安くしトレイ強制オープン動作を容易に行うことができ塵埃の侵入を防ぐように
したものである。
【背景技術】
【０００２】
従来、ディスク装置の技術として特許文献１などに記載したものがあり、その一例を図
６〜図９に基づいて説明すると、これはＤＶＤプレーヤであって、前面にディスク挿入口
１ａを有する筐体１内にディスクＤ載置用トレイ２を前後進ａ，ｂ可能に支持するローダ
ーシャーシ３が設けられ、該ローダーシャーシ３内に配置したトラバースシャーシ４がそ
の両側面後部に突設した枢支軸４ａを介して該ローダーシャーシ３の後部に上下動ｃ，ｄ
可能に連結され、該トラバースシャーシ４上にターンテーブル５付きスピンドルモータ６
と光ピックアップ７とが配置され、ローダーシャーシ３の前部に従動ピニオン８が回転可
能に配置され、トラバースシャーシ４にフィードモータ９から光ピックアップ７と従動ピ
ニオン８とに動力を伝達する第１、第２の動力伝達系Ｆ１，Ｆ２が設けられている。
【０００３】
前記第１動力伝達系Ｆ１は、フィードモータ９と光ピックアップ７との間に介在された
ウォ−ム機構１１及びラックピニオン機構１２からなり、そのウォ−ム機構１１はフィー
ドモータ９の駆動軸に固着したウォ−ムギヤ１１ａと、該ウォ−ムギヤ１１ａに噛合する
ウォ−ムホイール１１ｂとからなり、前記ラックピニオン機構１２は、ウォ−ムホイール
１１ｂに同心状に一体突設した駆動ピニオン１２ａと、ガイドレール１３に沿って一定範
囲内往復移動可能な光ピックアップ７に連結された状態で駆動ピニオン１２ａに噛合され
たラック１２ｂとからなっており、フィードモータ９によりウォ−ムホイール１１ｂを正
逆回転ｅ，ｆさせることにより、駆動ピニオン１２ａ及びラック１２ｂを介して光ピック
アップ７を前後進ａ，ｂさせる。
【０００４】
前記第２動力伝達系Ｆ２は、ウォ−ム機構１１と従動ピニオン８との間に介在された一
対の中間歯車１４，１５からなり、その両中間歯車１４，１５を互いに噛合させ、その一
方の中間歯車１４をウォ−ムホイール１１ｂと駆動ピニオン１２ａとの間に同心状に一体
形成した連結ギヤ１６に噛合させると共に、他方の中間歯車１５を従動ピニオン８に上下
動ｃ，ｄ可能に噛合させており、フィードモータ９によりウォ−ムホイール１１ｂを正逆
回転ｅ，ｆさせることにより、連結ギヤ１６及び両中間歯車１４，１５を介して従動ピニ
オン８を矢印ｇ，ｈ方向に回転させる。
【０００５】
前記従動ピニオン８に係脱可能に噛合するスライドラック１８ａを一体形成したカムス
ライダ１８がローダーシャーシ３の前部に前後進ａ，ｂ方向とは直交する左右方向ｉ，ｊ
に沿ってスライド可能に配置され、該カムスライダ１８のカム溝１８ｂに嵌入するカムピ
ン１９がトラバースシャーシ４の前面に一体突設されており、スライドラック１８ａを従
動ピニオン８に噛合させた状態で該従動ピニオン８を矢印ｇ，ｈ方向に回転させることに
より、カムスライダ１８を左右方向ｉ，ｊにスライドさせ、カム溝１８ｂ及びカムピン１
９を介してトラバースシャーシ４を上下動ｃ，ｄさせる。
【０００６】
図６に示すように、トラバースシャーシ４の前部上面にトリガープレート２１が左右方
向ｉ，ｊに一定範囲内移動可能に載置され、該トリガープレート２１の前面に突設したト
リガーピン２１ａがカムスライダ１８のカム溝１８ｃに嵌入され、前記ラック１２ｂの前
端に突設した操作ピン２２に対向してトリガープレート２１の下面に斜めに傾斜する操作
溝２３が形成されており、トレイオープン時には、図６に示す状態から光ピックアップ７
を前進ａさせることにより、操作ピン２２が操作溝２３内に入って該操作溝２３の傾斜状
内側面を押すことにより、トリガープレート２１が矢印ｊ方向にわずかにスライドされ、
トリガーピン２１ａを介してカムスライダ１８も同方向ｊにわずかにスライドされて、ス
ライドラック１８ａを従動ピニオン８に噛合させる。また、トレイイン時には上記とは逆
の操作がなされる。
【０００７】
図６中、２４はカムスライダ１８の上面に突設した係合ピンであって、トレイ２の下面
に形成した係合溝（図示せず）に対して係脱可能に形成され、また、２５は従動ピニオン
８の上端に一体形成したトレイ用ピニオンであって、トレイ２の下面に一体形成した前後
進ａ，ｂ方向に延びるラック（図示せず）に対して係脱可能に形成されており、トレイオ
ープン時に、図６に示す状態からカムスライダ１８を矢印ｊ方向にスライドさせてその最
終端で、係合ピンをトレイ２の係合溝に係合させることにより、該トレイ２をわずかに前
進ａさせ、これにより、トレイ２の下面のラックをトレイ用ピニオン２５に噛合させ、該
トレイ用ピニオン２５を矢印ｇ方向に回転させることにより、そのトレイ２を前進ａさせ
る。また、トレイイン時に、上記とは逆の操作がなされる。
【０００８】
図７中、２６はローダーシャーシ３の両側板間に架設した横桟２７の中央貫通孔２７ａ
内に一定範囲内昇降可能に配置したクランパであって、該クランパ２６の下面に設けたマ
グネット２８の磁力によりターンテーブル５とでディスクＤをクランプする。
【０００９】
動作原理を説明すると、図６〜図８はプレイモードを示しており、ディスクＤをターン
テーブル５とクランパ２６とでクランプした状態で、スピンドルモータ６によりターンテ
ーブル５を介してディスクＤを高速回転させ、フィードモータ９を駆動してウォ−ムホイ
ール１１ｂを正逆回転ｅ，ｆさせることにより、駆動ピニオン１２ａ及びラック１２ｂを
介して光ピックアップ７を前後進ａ，ｂさせ、該光ピックアップ７によりディスクＤに記
録されている映像情報の再生（または録画、消去）を行う。
【００１０】
プレイモードでアンローディング信号が入力されてトレイオープン時になると、スピン
ドルモータ６の駆動を停止し、フィードモータ９を駆動してウォ−ムホイール１１ｂを正
転ｅさせることにより、光ピックアップ７を最前進ａさせ、操作ピン２２を操作溝２３に
嵌入させて、トリガープレート２１及びトリガーピン２１ａを介してカムスライダ１８を
矢印ｊ方向にスライドさせ、スライドラック１８ａを従動ピニオン８に噛合させる。
【００１１】
続いて、正転ｅするウォ−ムホイール１１ｂにより両中間歯車１４，１５を介して従動
ピニオン８を矢印ｇ方向に回転させ、該従動ピニオン８に噛合するスライドラック１８ａ
を介してカムスライダ１８を矢印ｊ方向にスライドさせ、カム溝１８ｂ及びカムピン１９
によりトラバースシャーシ４を下動ｃさせ（図７仮想線参照）、ターンテーブル５上のデ
ィスクＤをトレイ２上に受け渡す。その後、係合ピン２４によりトレイ２をわずかに前進
ａさせてトレイ用ピニオン２５にトレイのラック（図示せず）を噛合させ、該トレイ用ピ
ニオン２５の矢印ｇ方向に回転させることによりトレイ２を前進ａさせる（図７仮想線参
照）。
【００１２】
最前進ａ状態のトレイ２からディスクＤを取り外し、新たなディスクＤをトレイ２上に
載置した状態で、ローディング信号が入力されてトレイイン時になると、上記と逆の動作
が行われて、プレイモードに戻る（図７実線参照）。
【００１３】
上記構成において、プレイモードで例えば停電や故障などによりディスクＤが内部に詰
まることがあり、そのディスクＤを外部に出すためにトレイ２を強制的にオープンさせる
必要がある。そこで、図９に示すように、一方の中間歯車１４の外径ｒ１を他方の中間歯
車１５の外径ｒ２よりも大きくすると共に、その一方の中間歯車１４に対向する筐体１及
びローダーシャーシ３の側板に操作孔３０，３１を開設し（図６及び図８参照）、その操
作孔３０，３１にドライバーなどの工具３２を差し込んで、該工具３２の先端を一方の中
間歯車１４の歯部に係合させ（図６及び図８参照）、その工具３２により一方の中間歯車
１４を手作業で強制的に回転させることにより、トレイ２をオープン状態にすることが行
われている。
【特許文献１】特開２００５−２１６３８３号公報
【発明の開示】
【発明が解決しようとする課題】
【００１４】
上記従来の構成では、一方の中間歯車１４にトレイ強制オープン機能を持たせるために
、該一方の中間歯車１４の外径ｒ１を大きく設定しており、これによって、両中間歯車１
４，１５として外径ｒ１，ｒ２が異なる２種類の平歯車を用いているので、その両中間歯
車１４，１５を成形するための金型面数が複数必要となり、金型成形作業の効率が低く、
製作費が高くつく。
【００１５】
そこで、両中間歯車１４，１５として同一形状のものを用いて共通化することも考えら
れるが、それでは、一方の中間歯車１４の外径ｒ１が小さくなるため、その一方の中間歯
車１４を工具３２で強制的に回転させることが困難になり、トレイ２の強制オープン動作
が面倒で手間がかかる。また、無理に工具３２で一方の中間歯車１４を回転させようとす
ると、その一方の中間歯車１４の歯部が工具３２で損傷されるおそれがあり、しかも、工
具３２を差し込むための操作孔３０，３１が筐体１及びローダーシャーシ３の側板に開設
されているので、その操作孔３０，３１から塵埃が内部に侵入しやすくなり、故障の原因
になる。
【００１６】
本発明は、上記従来の欠点に鑑み、製作費を安くしトレイ強制オープン動作を容易に行
うことができ塵埃の侵入を防ぐことができるようにしたディスク装置を提供することを目
的としている。
【課題を解決するための手段】
【００１７】
上記目的を達成するため、請求項１に記載の発明は、筐体内にディスク載置用トレイを
前後進可能に支持するローダーシャーシが設けられ、該ローダーシャーシの後部に光ピッ
クアップを搭載したトラバースシャーシが上下動可能に連結されると共に、そのローダー
シャーシの前部に従動ピニオンが回転可能に配置され、前記トラバースシャーシにフィー
ドモータから光ピックアップと従動ピニオンとに動力を伝達する第１、第２の動力伝達系
が設けられ、その第１動力伝達系がフィードモータと光ピックアップとの間に介在された
ウォ−ム機構及びラックピニオン機構からなり、その第２動力伝達系が前記ウォ−ム機構
と前記従動ピニオンとの間に介在された一対の中間歯車からなり、前記従動ピニオンに係
脱可能に噛合するスライドラックを一体形成したカムスライダがローダーシャーシの前部
に前後進方向とは直交する左右方向に沿ってスライド可能に配置され、該カムスライダの
カム溝に嵌入するカムピンが前記トラバースシャーシの前面に一体突設されており、トレ
イオープン時に、フィードモータを駆動してウォ−ム機構のウォ−ムホイールを正転させ
ることにより、両中間歯車、従動ピニオン及び該従動歯車に噛合するスライドラックを介
してカムスライダを左右一方向にスライドさせてカム溝及びカムピンによりトラバースシ
ャーシを下動させた後、トレイを前進させるようにしたディスク装置において、前記一対
の中間歯車が同一形状に設定されると共に、その両中間歯車よりも前記ウォ−ムホイール
が大径に設定され、該ウォ−ムホイールの下面にトレイ強制オープン機能が付加されてお
り、そのトレイ強制オープン機能が、前記ウォ−ムホイールの下面に該ウォ−ムホイール
と同心状に形成した円形凹部と、該円形凹部の底面に所定角度をおいて放射状に一体突設
した多数の係合片とからなり、前記ウォ−ムホイールの下面に対向して前記筐体の底板に
操作孔が貫設されており、その操作孔を通って適当な係合片に工具を係合させてウォ−ム
ホイールを強制的に正転させることにより、トレイをオープン状態にすることを特徴とし
ている。
【００１８】
請求項２に記載の発明は、筐体内にディスク載置用トレイを前後進可能に支持するロー
ダーシャーシが設けられ、該ローダーシャーシの後部に光ピックアップを搭載したトラバ
ースシャーシが上下動可能に連結されると共に、そのローダーシャーシの前部に従動ピニ
オンが回転可能に配置され、前記トラバースシャーシにフィードモータから光ピックアッ
プと従動ピニオンとに動力を伝達する第１、第２の動力伝達系が設けられ、その第１動力
伝達系がフィードモータと光ピックアップとの間に介在されたウォ−ム機構及びラックピ
ニオン機構からなり、その第２動力伝達系が前記ウォ−ム機構と前記従動ピニオンとの間
に介在された一対の中間歯車からなり、前記従動ピニオンに係脱可能に噛合するスライド
ラックを一体形成したカムスライダがローダーシャーシの前部に前後進方向とは直交する
左右方向に沿ってスライド可能に配置され、該カムスライダのカム溝に嵌入するカムピン
が前記トラバースシャーシの前面に一体突設されており、トレイオープン時に、フィード
モータを駆動してウォ−ム機構のウォ−ムホイールを正転させることにより、両中間歯車
、従動ピニオン及び該従動歯車に噛合するスライドラックを介してカムスライダを左右一
方向にスライドさせてカム溝及びカムピンによりトラバースシャーシを下動させた後、ト
レイを前進させるようにしたディスク装置において、前記一対の中間歯車が同一形状に設
定され、前記ウォ−ムホイールを強制的に正転させてトレイをオープン状態にするトレイ
強制オープン機能が該ウォ−ムホイールの下面に付加されていることを特徴としている。
【００１９】
請求項３に記載の発明は、請求項２に記載の発明において、前記トレイ強制オープン機
能が、前記ウォ−ムホイールの下面に該ウォ−ムホイールと同心状に形成した円形凹部と
、該円形凹部の底面に所定角度をおいて放射状に一体突設した多数の係合片とからなり、
前記ウォ−ムホイールの下面に対向して前記筐体の底板に操作孔が貫設されており、その
操作孔を通って適当な係合片に工具を係合させてウォ−ムホイールを強制的に正転させる
ことにより、トレイをオープン状態にすることを特徴としている。
【００２０】
請求項４に記載の発明は、請求項２または３に記載の発明において、前記両中間歯車よ
りも前記ウォ−ムホイールが大径に設定されていることを特徴としている。
【発明の効果】
【００２１】
請求項１に記載の発明は実施の一形態（図１〜図５参照）に対応するものであって、こ
れによれば、トレイ強制オープン機能をウォームホイールの下面に付加することにより、
フィードモータから従動ピニオンに達する第２動力伝達系を形成する一対の中間歯車の外
径を大きくする必要がなくなり、該両中間歯車が同一形状に設定されて共通化されている
から、その両中間歯車を成形するための金型面数を従来に比べて削減し、金型成形作業の
効率化を図って、製作費を安くすることができる。
【００２２】
トレイ強制オープン時に、工具を筐体の操作孔を通ってウォームホイールの円形凹部内
の適当な係合片に係合させて該ウォームホイールを強制的に正転させるだけで、両中間歯
車及び従動ピニオンを介してトレイを強制的にオープン状態にすることができ、また、前
記工具によりウォームホイールの歯部が損傷されることがないく、そのウォームホイール
とウォームギヤとの噛合状態を確実に維持することができ、更に、工具を挿通するための
操作孔が筐体の底板に貫設されており、その操作孔から塵埃が侵入し難い構造になってい
るから、塵埃を原因とする故障を少なくすることができる。
【００２３】
しかも、ウォ−ムホイールが大径に設定されているので、トレイ強制オープン時に、そ
のウォームホイールを手作業で容易に正転させて、トレイを確実に強制オープンさせるこ
とができる。
【００２４】
請求項２に記載の発明は基本形態に対応するものであって、これによれば、トレイ強制
オープン機能をウォームホイールの下面に付加することにより、フィードモータから従動
ピニオンに達する第２動力伝達系を形成する一対の中間歯車の外径を大きくする必要がな
くなり、該両中間歯車が同一形状に設定されて共通化されているから、その両中間歯車を
成形するための金型面数を従来に比べて削減し、金型成形作業の効率化を図って、製作費
を安くすることができる。
【００２５】
請求項３に記載の発明によれば、トレイ強制オープン時に、工具を筐体の操作孔を通っ
てウォームホイールの円形凹部内の適当な係合片に係合させて該ウォームホイールを強制
的に正転させるだけで、両中間歯車及び従動ピニオンを介してトレイを強制的にオープン
状態にすることができ、また、前記工具によりウォームホイールの歯部が損傷されること
がないく、そのウォームホイールとウォームギヤとの噛合状態を確実に維持することがで
き、更に、工具を挿通するための操作孔が筐体の底板に貫設されており、その操作孔から
塵埃が侵入し難い構造になっているから、塵埃を原因とする故障を少なくすることができ
る。
【００２６】
請求項４に記載の発明によれば、ウォ−ムホイールが大径に設定されているので、トレ
イ強制オープン時に、そのウォームホイールを手作業で容易に正転させて、トレイを確実
に強制オープンさせることができる。
【発明を実施するための最良の形態】
【００２７】
図１〜図５は本発明の実施の一形態であるＤＶＤプレーヤ（ディスク装置）を示すもの
であって、トラバースシャーシ４上の第２の動力伝達系Ｆ２を形成する一対の中間歯車１
４，１５が同一形状に設定されると共に、該両中間歯車１４，１５の外径ｒ１，ｒ２より
もウォ−ムホイール１１ｂの外径ｒ３が大きく設定され、そのウォ−ムホイール１１ｂの
下面にトレイ強制オープン機能３４が付加されている。なお、トラバースシャーシ４が板
金成形されており、該トラバースシャーシ４を上下動ｃ，ｄ可能に枢支する枢支軸４ａが
ローダーシャーシ３に突設され、トリガープレート２１がカムスライダ１８に一体形成さ
れ、該トリガープレート２１の操作溝２３の傾斜状内側面が従来例（図６参照）とは逆向
きに傾斜されている。上記以外の構成は図６〜図９に示す構成とほぼ同じであるから、同
一部分に同一符号を付してその説明を省略する。
【００２８】
前記トレイ強制オープン機能３４は、図４に示すように、ウォ−ムホイール１１ｂの下
面に該ウォ−ムホイール１１ｂと同心状に形成した円形凹部３５と、該円形凹部３５の底
面に所定角度をおいて放射状に一体突設した多数の係合片３６とからなっており、ウォ−
ムホイール１１ｂの下面に対向して筐体１の底板に操作孔３０が貫設されている。なお、
３７は円形凹部３５の底面中央に一体突設した工具位置規制用円筒部である。
【００２９】
動作原理を説明すると、図１〜図３はプレイモードを示しており、ディスクＤをターン
テーブル５とクランパ２６とでクランプした状態で、スピンドルモータ６によりターンテ
ーブル５を介してディスクＤを高速回転させ、フィードモータ９を駆動してウォ−ムホイ
ール１１ｂを正逆回転ｅ，ｆさせることにより、駆動ピニオン１２ａ及びラック１２ｂを
介して光ピックアップ７を前後進ａ，ｂさせ、該光ピックアップ７によりディスクＤに記
録されている映像情報の再生（または録画、消去）を行う。
【００３０】
プレイモードでアンローディング信号が入力されてトレイオープン時になると、スピン
ドルモータ６の駆動を停止し、フィードモータ９を駆動してウォ−ムホイール１１ｂを正
転ｅさせることにより、光ピックアップ７を最前進ａさせ、操作ピン２２を操作溝２３に
嵌入させて、トリガープレート２１及びトリガーピン２１ａを介してカムスライダ１８を
矢印ｉ方向にスライドさせ、スライドラック１８ａを従動ピニオン８に噛合させる。
【００３１】
続いて、正転ｅするウォ−ムホイール１１ｂにより両中間歯車１４，１５を介して従動
ピニオン８を矢印ｇ方向に回転させ、該従動ピニオン８に噛合するスライドラック１８ａ
を介してカムスライダ１８を矢印ｉ方向にスライドさせ、カム溝１８ｂ及びカムピン１９
によりトラバースシャーシ４を下動ｃさせ（図２仮想線参照）、ターンテーブル５上のデ
ィスクＤをトレイ２上に受け渡す。その後、係合ピン２４によりトレイ２をわずかに前進
ａさせてトレイ用ピニオン２５にトレイのラック（図示せず）を噛合させ、該トレイ用ピ
ニオン２５の矢印ｇ方向への回転によりトレイ２を前進ａさせる（図２仮想線参照）。
【００３２】
最前進ａ状態のトレイ２からディスクＤを取り外し、新たなディスクＤをトレイ２上に
載置した状態で、ローディング信号が入力されてトレイイン時になると、上記と逆の動作
が行われて、プレイモードに戻る（図２実線参照）。
【００３３】
トレイ強制オープン動作を説明すると、図３に示すように、操作孔３０にドライバーな
どの工具３２を差し込んで、該工具３２の先端を適当な係合片３６に係合させ、その工具
３２によりウォ−ムホイール１１ｂを正転ｅさせればよい。これによって、中間歯車１４
，１５、従動ピニオン８、トレイ用ピニオン２５及びトレイ２の下面のラック（図示せず
）を介して該トレイ２を前進ａさせ、そのトレイ２を強制的にオープン状態にすることが
できる（図２仮想線参照）。
【００３４】
上記構成によれば、トレイ強制オープン機能３４をウォ−ムホイール１１ｂの下面に付
加することにより、フィードモータ９から従動ピニオン８に達する第２の動力伝達系Ｆ２
を形成する一対の中間歯車１４，１５の外径ｒ１，ｒ２を大きくする必要がなくなり、該
両中間歯車１４，１５が同一形状に設定されて共通化されているから、その両中間歯車１
４，１５を成形するための金型面数を従来に比べて削減し、金型成形作業の効率化を図っ
て、製作費を安くすることができる。
【００３５】
トレイ強制オープン時に、工具３２を筐体１の操作孔３０を通ってウォ−ムホイール１
１ｂの円形凹部３５内の適当な係合片３６に係合させて該ウォ−ムホイール１１ｂを強制
的に正転ｅさせるだけで、トレイ２を強制的にオープン状態にすることができ、また、前
記工具３２によりウォ−ムホイール１１ｂの歯部が損傷されることがないく、そのウォ−
ムホイール１１ｂとウォ−ムギヤ１１ａとの噛合状態を確実に維持することができ、更に
、工具３２を挿通するための操作孔３０が筐体１の底板に貫設されており、その操作孔３
０から塵埃が侵入し難い構造になっているから、塵埃を原因とする故障を少なくすること
ができる。
【００３６】
しかも、ウォ−ムホイール１１ｂが大径ｒ３に設定されているので、トレイ強制オープ
ン時に、そのウォ−ムホイール１１ｂを手作業で容易に正転ｅさせて、トレイ２を確実に
強制オープンさせることができる。
【図面の簡単な説明】
【００３７】
【図１】本発明の実施の一形態であるＤＶＤプレーヤの平面図である。
【図２】同縦断面図である。
【図３】同横断面図である。
【図４】同要部の分解斜視図である。
【図５】同第１、第２の動力伝達系を示す要部の概略平面図である。
【図６】従来例を示す平面図である。
【図７】同縦断面図である。
【図８】同横断面図である。
【図９】同第１、第２の動力伝達系を示す要部の概略平面図である。
【符号の説明】
【００３８】
１            筐体
２            トレイ
３            ローダーシャーシ
４            トラバースシャーシ
７            光ピックアップ
８            従動ピニオン
９            フィードモータ
１１          ウォ−ム機構
１１ａ        ウォ−ムギヤ
１１ｂ        ウォ−ムホイール
１２          ラックピニオン機構
１２ａ        駆動ピニオン
１２ｂ        ラック
１４，１５    中間歯車
１８          カムスライダ
１８ａ        スライドラック
１８ｂ        カム溝
１９          カムピン
３０          操作孔
３４          トレイ強制オープン機能
３５          円形凹部
３６          係合片
Ｆ１          第１の動力伝達系
Ｆ２          第２の動力伝達系
ａ，ｂ        前後進
ｃ，ｄ        上下動
ｅ，ｆ        正逆回転
ｒ１          一方の中間歯車の外径
ｒ２          他方の中間歯車の外径
ｒ３          ウォ−ムホイールの外径
【図１】
2007213692.tif 000003
【図２】
2007213692.tif 000004
【図３】
2007213692.tif 000005
【図４】
2007213692.tif 000006
【図５】
2007213692.tif 000007
【図６】
2007213692.tif 000008
【図７】
2007213692.tif 000009
【図８】
2007213692.tif 000010
【図９】
2007213692.tif 000011